(57)【特許請求の範囲】
【請求項１】
入力されたデータを、装備された記憶装置に記憶する記憶処理手段と、
前記記憶装置に記憶されているデータを、当該データを用いた所定のサービス提供を行うレプリカ装置に複製する複製手段と、を備え、
前記複製手段は、前記記憶装置に記憶されているデータ毎の特徴を識別するデータ特徴識別手段と、前記データの特徴に応じて当該データの複製先となるレプリカ装置を決定する複製先決定手段と、決定されたレプリカ装置に前記データを複製する複製処理手段と、を備えた、
情報処理装置。
【請求項２】
請求項１に記載の情報処理装置であって、
前記データ特徴識別手段は、前記データのファイル種別を当該データの特徴として識別し、
前記複製先決定手段は、前記データのファイル種別に対応して予め設定されたレプリカ装置を、前記データの複製先として決定する、
情報処理装置。
【請求項３】
請求項２に記載の情報処理装置であって、
前記複製先決定手段は、前記データのファイル種別が、前記レプリカ装置によるサービス提供の際に他のコンピュータに配信される対象となるファイル種別である場合に、そのデータの複製先を、当該データを配信する時のスループットが大きい特性を有するレプリカ装置に決定する、
情報処理装置。
【請求項４】
請求項２又は３に記載の情報処理装置であって、
前記複製先決定手段は、前記データのファイル種別が、前記レプリカ装置によるサービス提供の際に当該レプリカ装置上で他のコンピュータに共有される対象となるファイル種別である場合に、そのデータの複製先を、当該データへのアクセスに対するレスポンススピードが速い特性を有するレプリカ装置に決定する、
情報処理装置。
【請求項５】
請求項１乃至４のいずれか一項に記載の情報処理装置であって、
前記データ特徴識別手段は、前記データを登録したユーザを当該データの特徴として識別し、
前記複製先決定手段は、前記データを登録したユーザに対応して予め設定されたレプリカ装置を、前記データの複製先として決定する、
情報処理装置。
【請求項６】
入力されたデータを記憶するマスタ装置と、前記マスタ装置に記憶されているデータの複製を記憶し当該データを用いた所定のサービス提供を行うレプリカ装置と、を備え、
前記マスタ装置は、記憶されているデータ毎の特徴を識別するデータ特徴識別手段と、前記データの特徴に応じて当該データの複製先となるレプリカ装置を決定する複製先決定手段と、決定されたレプリカ装置に前記データを複製する複製処理手段と、を備えた、
レプリケーションシステム。
【請求項７】
入力されたデータを記憶する情報処理装置に、
記憶されているデータ毎の特徴を識別するデータ特徴識別手段と、
前記データを用いた所定のサービス提供を行うレプリカ装置のうち、前記識別したデータの特徴に応じて当該データの複製先となるレプリカ装置を決定する複製先決定手段と、
決定されたレプリカ装置に前記データを複製する複製処理手段と、
を実現させるためのプログラム。
【請求項８】
入力されたデータを記憶する情報処理装置が、
記憶されているデータ毎の特徴を識別し、
前記データを用いた所定のサービス提供を行うレプリカ装置のうち、前記識別したデータの特徴に応じて当該データの複製先となるレプリカ装置を決定し、
決定されたレプリカ装置に前記データを複製する、
データ複製方法。
【発明の詳細な説明】
【技術分野】
【０００１】
本発明は、情報処理装置にかかり、特に、データをレプリケーションする情報処理装置に関する。
【背景技術】
【０００２】
ネットワークを用いて多地点や多くの利用者にサービスを提供する場合、通常、マスタサーバにあるデータを、多地点に分布されているレプリカサーバへレプリケート（複製）して、かかるレプリカサーバからサービスを提供することが行われている。これにより、サーバのレスポンススピードやスループットの向上を図っている。なお、レプリケーションシステムの一例として、特許文献１に開示されているものがある。
【０００３】
ここで、複製されたデータを用いたサービスを提供するレプリケーションサーバには、サービス提供の種類に応じて、それぞれ異なる性能が要求される。例えば、容量が小さなドキュメントファイルを共有するサービスを提供する場合には、レプリカサーバにはある程度の性能・容量が確保できればよい。一方、ビデオファイルなどを格納してオンラインでビデオ鑑賞を提供する場合には、大容量・高性能のサーバである必要が生じる。さらに、データの作成者が提供先を限定したい場合には、当該データを提供するレプリカサーバは、アクセスできる利用者を制限する機能を有する必要が生じる。
【先行技術文献】
【特許文献】
【０００４】
【特許文献１】特開２００８−２１７３０６号公報
【発明の概要】
【発明が解決しようとする課題】
【０００５】
しかしながら、サービスを提供するレプリカサーバのハードウェアの性能や提供可能なサービス機能は様々であるため、データが複製されたレプリカサーバが、かかるデータのサービス提供に最適な性能や機能を必ずしも有しているとは限らない。このため、高品質なサービス提供が困難である、という問題があった。
【０００６】
このため、本発明の目的は、上述した課題である、サービスを提供するレプリカサーバにおけるサービス提供の質の向上が困難であること、を解決することにある。
【課題を解決するための手段】
【０００７】
かかる目的を達成するため、本発明の一形態である情報処理装置は、
入力されたデータを、装備された記憶装置に記憶する記憶処理手段と、
上記記憶装置に記憶されているデータを、当該データを用いた所定のサービス提供を行うレプリカ装置に複製する複製手段と、を備える。
そして、上記複製手段は、上記記憶装置に記憶されているデータ毎の特徴を識別するデータ特徴識別手段と、上記データの特徴に応じて当該データの複製先となるレプリカ装置を決定する複製先決定手段と、決定されたレプリカ装置に上記データを複製する複製処理手段と、を備えた、
という構成をとる。
【０００８】
また、本発明の他の形態であるレプリケーションシステムは、
入力されたデータを記憶するマスタ装置と、前記マスタ装置に記憶されているデータの複製を記憶し当該データを用いた所定のサービス提供を行うレプリカ装置と、を備える。
そして、上記マスタ装置は、記憶されているデータ毎の特徴を識別するデータ特徴識別手段と、上記データの特徴に応じて当該データの複製先となるレプリカ装置を決定する複製先決定手段と、決定されたレプリカ装置に上記データを複製する複製処理手段と、を備えた、
という構成をとる。
【０００９】
また、本発明の他の形態であるプログラムは、
入力されたデータを記憶する情報処理装置に、
記憶されているデータ毎の特徴を識別するデータ特徴識別手段と、
上記データを用いた所定のサービス提供を行うレプリカ装置のうち、上記識別したデータの特徴に応じて当該データの複製先となるレプリカ装置を決定する複製先決定手段と、
決定されたレプリカ装置に上記データを複製する複製処理手段と、
を実現させるためのプログラムである。
【００１０】
さらに、本発明の他の形態であるデータ複製方法は、
入力されたデータを記憶する情報処理装置が、
記憶されているデータ毎の特徴を識別し、
上記データを用いた所定のサービス提供を行うレプリカ装置のうち、上記識別したデータの特徴に応じて当該データの複製先となるレプリカ装置を決定し、
決定されたレプリカ装置に上記データを複製する、
という構成をとる。
【発明の効果】
【００１１】
本発明は、以上のように構成されることにより、サービスを提供するレプリカ装置におけるサービス提供の質の向上を図ることができる。
【図面の簡単な説明】
【００１２】
【図１】レプリケーションシステムの構成の一例を示す概略図である。
【図２】マスタ側サーバの構成を示す機能ブロック図である。
【図３】ユーザ管理テーブルの一例を示す図である。
【図４】ファイル管理テーブルの一例を示す図である。
【図５】ポリシ管理テーブルの一例を示す図である。
【図６】マスタ側サーバの動作を示すフローチャートである。
【図７】情報処理装置の構成を示す機能ブロック図である。
【発明を実施するための形態】
【００１３】
本発明の第１の実施形態を、図１乃至図６を参照して説明する。図１乃至図４は、本発明であるレプリケーションシステムの構成を示す図であり、図５は、動作を示す図である。
【００１４】
［構成］
図１に示すように、本発明におけるレプリケーションシステムは、ネットワークＮを介して接続されたマスタ側サーバ１０とレプリカ側サーバ４１等とを備えて構成されている。そして、マスタ側サーバ１０（マスタ装置）は、データ提供者３１，３２から提供された様々なデータを記憶装置に記憶し、集中して管理しており、後述するように、管理している様々なデータを種々のレプリカ側サーバ４１等にレプリケート（複製）する機能を有する。また、各レプリカ側サーバ４１，４２，４３（レプリカ装置）は、レプリケートされたデータを、様々なサービス利用者５１等に対して提供する機能を有する。
【００１５】
例えば、図１の例では、マスタ側サーバ１０は、データ提供者３１，３２（データ提供者端末）から提供された「Ｗｅｂコンテンツ」データ、「ドキュメント」データ、「ビデオ」データなどの種々のデータを記憶して管理している。そして、マスタ側サーバ１０は、「Ｗｅｂコンテンツ」データを符号４１のレプリカ側サーバに、「ドキュメント」データを符号４２のレプリカ側サーバに、「ビデオ」データを符号４３のレプリカ側サーバに、それぞれレプリケートする。その後、各レプリカ側サーバ４１，４２，４３は、レプリケートされた各データを、それぞれサービス利用者５１，５２，５３（サービス利用者端末）からの要求に応じて提供する。以下、マスタ側サーバ１０とレプリカ側サーバ４１等の構成について、詳述する。
【００１６】
マスタ側サーバ１０は、演算装置と記憶装置とを備えた一般的な情報処理装置である。そして、図２に示すように、マスタ側サーバ１０は、演算装置にプログラムが読み込まれることによって構築された、ユーザ認証部１１と、ユーザ管理部１３と、データ受付部１４と、レプリケーション処理部２０（複製手段）と、を備えている。そして、レプリケーション処理部２０は、レプリケーション受付部２１と、データ特徴識別部２２と、ポリシ管理部２３と、レプリケーション実行部２４と、レプリケーション先決定部２５と、を有している。また、マスタ側サーバ１０は、記憶装置に構成された、ユーザ管理テーブル１２と、ファイル管理テーブル１５と、ポリシ管理テーブル２６と、を備えている。
【００１７】
上記ユーザ管理部１３は、図３に示すようなユーザ管理テーブル１２に登録するデータ提供者３１，３２であるユーザＵの情報を管理している。例えば、ユーザ管理テーブル１２には、ユーザ毎に、ユーザＩＤ、ユーザ名、パスワードが登録される。そして、ユーザ認証部１１は、ユーザＵからアクセスがあると、ユーザ管理テーブル１２に登録された情報に基づいて、ユーザＵがマスタ側サーバ１０にデータ（ファイル）を提供する権限を有するか否か、といったユーザ認証を行い、ユーザ認証が成功すると、かかるユーザＵ（データ提供者３１，３２）からデータの提供を許可する。
【００１８】
データ受付部１４（記憶処理手段）は、ユーザＵ（データ提供者３１，３２）から提供されたデータ（ファイル）を受け取って、図示しない記憶装置に記憶する。例えば、図１に示すように、「Ｗｅｂコンテンツ」データ、「ドキュメント」データ、「ビデオ」データなどの種々のデータを受け取って記憶する。
【００１９】
また、データ受付部１４は、受け取ったデータの特徴を調べ、ファイル管理テーブル１５に登録する。ここで、ファイル管理テーブル１５の一例を、図４に示す。具体的に、データ受付部１４は、図４のファイル管理テーブル１５に示すように、受け取ったデータの特徴として、データ毎の「ファイル名」、「拡張子」、「オーナー」、「データタイプ」を調べて登録する。なお、上記「オーナー」は、マスタ側サーバ１０が記憶したデータ（ファイル）を登録したユーザを特定する情報である。また、上記「データタイプ」は、マスタ側サーバ１０が記憶したデータ（ファイル）のファイル種別を表す情報であり、例えば、「Document」はドキュメントデータを、「Video」はビデオデータを、「Web Contents」はhtmlファイルなどのウェブコンテンツデータを表している。但し、「データタイプ（データ種別）」は、上述したものに限定されない。
【００２０】
なお、上記ファイル管理テーブル１５の内容は、後述するデータ特徴識別部２２にて読み取られ、レプリケーション先決定部２５に提供される。つまり、上述したデータ受付部１４とデータ特徴識別部２２とは、マスタ側サーバ１０内に記憶されているデータ毎の特徴を識別するデータ特徴識別手段として機能する。
【００２１】
但し、ファイル管理テーブル１５の内容は、上述したようにデータ受付部１４にて、ユーザＵからデータを受け付けたタイミングで登録されることに限定されない。例えば、データ特徴識別部２２にて、後述するように、レプリケーション先を決定するタイミングで、記憶されているデータからファイル管理テーブル１５の内容である「ファイルタイプ」や「オーナー」情報が調べられて、レプリケーション先決定部２５に提供されてもよい。
【００２２】
また、データ受付部１４は、上述したようにマスタ側サーバ１０に新たにデータが登録され、ファイル管理テーブル１５に更新があると、そのことをレプリケーション受付部２１に通知する。
【００２３】
次に、上述したように、マスタ側サーバ１０に記憶されているデータを、当該データを用いた所定のサービス提供を行う各レプリカ側サーバ４１，４２，４３に複製するレプリケーション処理部２０内の構成について説明する。
【００２４】
まず、レプリケーション受付部２１は、上述したようにデータ受付部１４から通知を受けると、レプリケーション先決定部２５にレプリケーションを行うよう指示を出す。そして、レプリケーション先決定部２５（複製先決定手段）は、データ特徴識別部２２からファイル管理テーブル１５内の情報を取得して、ポリシ管理テーブル２６に記憶されているポリシに従って、マスタ側サーバ１０に記憶されている各データのレプリケーション先を決定する。
【００２５】
ここで、ポリシ管理テーブル２６の一例を、図５に示す。このポリシ管理テーブル２６は、具体的に、「ユーザ名」、「データタイプ」、「レプリケーション先」が相互に関連付けられて記憶されており、マスタ側サーバ１０に記憶されレプリケートするデータ（ファイル）の種別（データタイプ）や当該データを提供したユーザに応じて、どのレプリカ側サーバ４１，４２，４３にレプリケートするか、ということの判断基準を表している。つまり、各レプリカ側サーバ４１，４２，４３はハードウェア性能や装備しているサービス提供機能がそれぞれ異なるため、ポリシ管理テーブル２６には、各レプリカ側サーバ４１，４２，４３の性能や機能等に応じて最適なデータをレプリケートするためのポリシが予め設定されている。なお、このポリシ管理テーブル２６は、例えば、レプリケーションシステムの管理者あるいはデータを提供したユーザによってポリシ管理部２３を介して入力され、登録される。
【００２６】
そして、ポリシ管理テーブル２６の一例として、例えば以下のポリシが設定される。
（１）「ビデオ」データや「オーディオ」データに対しては、オンライン放送されるため、データ配信時のスループットが大きい特性を有するレプリカ側サーバ（Replica A）をレプリケーション先として設定する（図５の（１）参照）。
（２）複数のユーザにて共有される「ドキュメント」データや、サイズの小さい「ドキュメント」ファイルに対しては、サービス利用者からのデータへのアクセスに対するレスポンススピードが速い特性を有するレプリカ側サーバ（Replica B）をレプリケーション先として設定する（図５の（２）参照）。
（３）特定のユーザ（データ提供者）から提供され登録されたデータ（ファイル）に対しては、当該データにアクセスするユーザ（サービス利用者）を制限できる特性を有するレプリカ側サーバ（Replica C）をレプリケーション先として設定する（図５の（３）参照）。
（４）上記（１），（２），（３）の組み合わせであり、レプリケーションするデータのデータ種別と、当該データのオーナー（データ提供者）と、の組み合わせに応じて、特定のレプリカ側サーバをレプリケーション先として設定する。
【００２７】
なお、上述したポリシは一例であって、かかるポリシの内容にレプリケーション先を決定する判断基準が限定されるものではない。例えば、上述した種別とは異なる他のファイル種別に応じて、レプリケーション先を設定してもよい。
【００２８】
以上のように、レプリケーション先決定部２５は、ファイル管理テーブル１５内に含まれる各データのファイル種別やオーナーなどの特徴に対応するポリシ管理テーブル２６内のポリシに設定されているレプリカ側サーバ４１，４２，４３を、レプリケーション先として決定し、レプリケーション実行部２４に通知する。そして、レプリケーション実行部２４（複製処理手段）は、決定されたレプリカ側サーバ４１，４２，４３に、レプリケーション対象となっているデータをレプリケーションする。
【００２９】
［動作］
次に、上述したレプリケーションシステム、特に、マスタ側サーバ１０の動作を、図６のフローチャート及び図１を参照して説明する。
【００３０】
まず、データ提供者３１がマスタ側サーバ１０へログインしようとする。すると、ユーザ認証部１１は、データ提供者３１から入力された情報と、ユーザ管理テーブル１２とを照合して、データ提供者３１が登録されている場合には、ログインを認め、登録されていない場合には、ログインを拒否する（ステップＳ１）。
【００３１】
続いて、マスタ側サーバ１０は、ログインを許可されたデータ提供者３１からビデオデータファイル（例えば、b.avi）の提供があると、当該ビデオデータファイルを受け取って、ファイルシステムに格納し（ステップＳ２）、ファイルシステムのファイル管理テーブル１５を更新する（ステップＳ３）。
【００３２】
続いて、マスタ側サーバ１０は、ファイル管理テーブル１５に記憶されている各データの特徴（「データタイプ」や「オーナー」など）を読み出し（ステップＳ４）、ポリシ管理テーブル２６に記憶されているポリシに従って、各データのレプリケーション先となるレプリカ側サーバ４１，４２，４３を決定する（ステップＳ５）。例えば、ファイル管理テーブル１５から、「ビデオ」データであるファイル（b.avi）の特徴（オーナー：User A、データタイプ：Video）を取得した場合には、ポリシ管理テーブル２６内のポリシから、オーナー：User A、データタイプ：Video、に対応付けられたレプリケーション先：Replica Aを、レプリケーションするレプリカ側サーバとして決定する。
【００３３】
続いて、マスタ側サーバ１０は、レプリケーション対象となっているデータ（例えば、ビデオデータ）を、上述したように決定されたレプリケーション先となるレプリカ側サーバ（例えば、符号４３に示すレプリカ側サーバ）にレプリケートする。
【００３４】
その後は、各レプリカ側サーバ４１，４２，４３から、各サービス利用者５１，５２，５３に対して、ビデオデータの配信、ウェブコンテンツの配信、ドキュメントデータの共有など、ネットワークＮを介して各種のサービスが提供される。
【００３５】
以上のように、本発明によると、マスタ側サーバ１０は、格納したデータの特徴、例えば、データ種別やデータ提供者に応じて、かかるデータを用いたサービス提供を行うにあたり適切な性能のレプリカ側サーバ４１，４２，４３を選択して、レプリケートしている。従って、各レプリカ側サーバ４１，４２，４３にて適切なサービス提供が実行され、提供するサービスの質の向上を図ることができ、レプリカ側サーバを有効利用することができる。
【００３６】
＜付記＞
上記実施形態の一部又は全部は、以下の付記のようにも記載されうる。以下、本発明における情報処理装置１００の構成の概略について図７を参照して説明する。また、本発明における、レプリケーションシステム、プログラム、データ複製方法の構成について説明する。但し、本発明は、以下の構成に限定されない。
【００３７】
（付記１）
入力されたデータを、装備された記憶装置１３０に記憶する記憶処理手段１１０と、
前記記憶装置１３０に記憶されているデータを、当該データを用いた所定のサービス提供を行うレプリカ装置２００に複製する複製手段１２０と、を備え、
前記複製手段１２０は、前記記憶装置１３０に記憶されているデータ毎の特徴を識別するデータ特徴識別手段１２１と、前記データの特徴に応じて当該データの複製先となるレプリカ装置２００を決定する複製先決定手段１２２と、決定されたレプリカ装置２００に前記データを複製する複製処理手段１２３と、を備えた、
情報処理装置１００。
【００３８】
（付記２）
付記１に記載の情報処理装置であって、
前記データ特徴識別手段は、前記データのファイル種別を当該データの特徴として識別し、
前記複製先決定手段は、前記データのファイル種別に対応して予め設定されたレプリカ装置を、前記データの複製先として決定する、
情報処理装置。
【００３９】
（付記３）
付記２に記載の情報処理装置であって、
前記複製先決定手段は、前記データのファイル種別が、前記レプリカ装置によるサービス提供の際に他のコンピュータに配信される対象となるファイル種別である場合に、そのデータの複製先を、当該データを配信する時のスループットが大きい特性を有するレプリカ装置に決定する、
情報処理装置。
【００４０】
（付記４）
付記２又は３に記載の情報処理装置であって、
前記複製先決定手段は、前記データのファイル種別が、前記レプリカ装置によるサービス提供の際に当該レプリカ装置上で他のコンピュータに共有される対象となるファイル種別である場合に、そのデータの複製先を、当該データへのアクセスに対するレスポンススピードが速い特性を有するレプリカ装置に決定する、
情報処理装置。
【００４１】
（付記５）
付記１乃至４のいずれかに記載の情報処理装置であって、
前記データ特徴識別手段は、前記データを登録したユーザを当該データの特徴として識別し、
前記複製先決定手段は、前記データを登録したユーザに対応して予め設定されたレプリカ装置を、前記データの複製先として決定する、
情報処理装置。
【００４２】
（付記６）
入力されたデータを記憶するマスタ装置と、前記マスタ装置に記憶されているデータの複製を記憶し当該データを用いた所定のサービス提供を行うレプリカ装置と、を備え、
前記マスタ装置は、記憶されているデータ毎の特徴を識別するデータ特徴識別手段と、前記データの特徴に応じて当該データの複製先となるレプリカ装置を決定する複製先決定手段と、決定されたレプリカ装置に前記データを複製する複製処理手段と、を備えた、
レプリケーションシステム。
【００４３】
（付記７）
付記６に記載のレプリケーションシステムであって、
前記マスタ装置の前記データ特徴識別手段は、前記データのファイル種別を当該データの特徴として識別し、
前記マスタ装置の前記複製先決定手段は、前記データのファイル種別に対応して予め設定されたレプリカ装置を、前記データの複製先として決定する、
レプリケーションシステム。
【００４４】
（付記８）
付記６又は７に記載のレプリケーションシステムであって、
前記マスタ装置の前記データ特徴識別手段は、前記データを登録したユーザを当該データの特徴として識別し、
前記マスタ装置の前記複製先決定手段は、前記データを登録したユーザに対応して予め設定されたレプリカ装置を、前記データの複製先として決定する、
レプリケーションシステム。
【００４５】
（付記９）
入力されたデータを記憶する情報処理装置に、
記憶されているデータ毎の特徴を識別するデータ特徴識別手段と、
前記データを用いた所定のサービス提供を行うレプリカ装置のうち、前記識別したデータの特徴に応じて当該データの複製先となるレプリカ装置を決定する複製先決定手段と、
決定されたレプリカ装置に前記データを複製する複製処理手段と、
を実現させるためのプログラム。
【００４６】
（付記１０）
付記９に記載のプログラムであって、
前記データ特徴識別手段は、前記データのファイル種別を当該データの特徴として識別し、
前記複製先決定手段は、前記データのファイル種別に対応して予め設定されたレプリカ装置を、前記データの複製先として決定する、
プログラム。
【００４７】
（付記１１）
付記９又は１０に記載のレプリケーションシステムであって、
前記データ特徴識別手段は、前記データを登録したユーザを当該データの特徴として識別し、
前記複製先決定手段は、前記データを登録したユーザに対応して予め設定されたレプリカ装置を、前記データの複製先として決定する、
プログラム。
【００４８】
（付記１２）
入力されたデータを記憶する情報処理装置が、
記憶されているデータ毎の特徴を識別し、
前記データを用いた所定のサービス提供を行うレプリカ装置のうち、前記識別したデータの特徴に応じて当該データの複製先となるレプリカ装置を決定し、
決定されたレプリカ装置に前記データを複製する、
データ複製方法。
【００４９】
（付記１３）
付記１２に記載のデータ複製方法であって、
前記データのファイル種別を当該データの特徴として識別し、
前記データのファイル種別に対応して予め設定されたレプリカ装置を、前記データの複製先として決定し、
決定されたレプリカ装置に前記データを複製する、
データ複製方法。
【００５０】
（付記１４）
付記１２又は１３に記載のデータ複製方法であって、
前記データを登録したユーザを当該データの特徴として識別し、
前記データを登録したユーザに対応して予め設定されたレプリカ装置を、前記データの複製先として決定し、
決定されたレプリカ装置に前記データを複製する、
データ複製方法。
【符号の説明】
【００５１】
１０    マスタ側サーバ
１１    ユーザ認証部
１２    ユーザ管理テーブル
１３    ユーザ管理部
１４    データ受付部
１５    ファイル管理テーブル
２０    レプリケーション処理部
２１    レプリケーション受付部
２２    データ特徴識別部
２３    ポリシ管理部
２４    レプリケーション実行部
２５    レプリケーション先決定部
２６    ポリシ管理テーブル
３１，３２  データ提供者
４１，４２，４３  レプリカ側サーバ
５１，５２，５３  サービス利用者
１００  情報処理装置
１１０  記憶処理手段
１２０  複製手段
１２１  データ特徴識別手段
１２２  複製先決定手段
１２３  複製処理手段
１３０  記憶装置
２００  レプリカ装置
Ｎ      ネットワーク
Ｕ      ユーザ
【図１】
0005446962.tif 000002
【図２】
0005446962.tif 000003
【図３】
0005446962.tif 000004
【図４】
0005446962.tif 000005
【図５】
0005446962.tif 000006
【図６】
0005446962.tif 000007
【図７】
0005446962.tif 000008